(57)【要約】      （修正有）【課題】身体に負荷を与えることなく、体の不自由な人やお年寄りでも、床に腰をつけた状態もしくは寝た姿勢のまま、運動を可能にする回転式健康器具を提供する。【解決手段】回転台１上には磁性体３が配置され、帯２が設けてある。基台の縁には真ん中に磁性体３を配置した紐５の２つの端点が接続されている。回転台１と基台を中心で軸６で接続し、回転台１は軸６を中心として、基台の上で時計回りもしくは、逆時計回りに回転が可能なように取り付けられている。【選択図】図１
2013252402.tif 000002
【特許請求の範囲】
【請求項１】
回転台（１）には足部を入れるゆとりをもつ帯（２）と磁性体（３）が配置され、基台（４）の縁に、中央に磁性体（３）を備えた紐（５）の両端点が取り付けられ、回転台（１）と基台（４）は中心で軸（６）で接合されている回転式健康器具。
【発明の詳細な説明】
【技術分野】
【０００１】本発明は、足部を入れるゆとりをもつ帯（２）を設けた回転台（１）に磁性体（３）を配置し、さらに基台（４）に磁性体（３）を備えた制御用の紐（５）を取り付け、身体に負荷を与えることなく、体の不自由な人やお年寄りでも、床に腰をつけた状態もしくは寝た姿勢のまま、運動を可能にする回転式健康器具を提供する。
【背景技術】
【０００２】従来、家庭用の運動用器具としては以下のようなものがあった。
（一）器具の上に足をのっけて交互に踏み込むように運動するもの。
（二）器具に設けられたペダルを踏みまわす事によって運動するもの。
（三）回転するベルトやローラーの上に乗って歩行運動をするもの。
（四）回転、もしくは振動する台の上に乗ってその負荷で運動効果を得るもの。
（五）上記器具の回転部をモーター等駆動機械で動かすもの。【０００３】
【発明の概要】
【発明が解決しようとする課題】
【０００４】しかし従来の方法には次のような欠点があった。【０００５】従来の方法では、器具の上に立ち上がるか座る形式をとるものがほとんどで、身体全体の体重が器具自体への負荷となってしまう。【０００６】またそのような負荷に耐えうる様に必然的に器具自体が大きくなったり、頑強な構造や素材を用いることになり、重いものとなってしまう。【０００７】何よりも、そのような姿勢を保持することは年寄りや体の不自由な人にとってはその姿勢を保持する事自体が過剰な身体への負荷となりう、場合によってはそのような姿勢をとることすらできない。【０００８】また、モーター等駆動機械を用いるものは構造自体が複雑となり、重量自体も重くなる上、製造やメンテナンスにコストがかかる。【０００９】本発明は以上のような欠点をなくすためになされたものである。
【課題を解決するための手段】
【００１０】本発明は、上記課題を解決するため、以下の手段を採用する。
回転台（１）には足部を入れるゆとりをもつ帯（２）と磁性体（３）が配置され、基台（４）の縁に、中央に磁性体（３）を備えた紐（５）の両端点が取り付けられ、回転台（１）と基台（４）は軸（６）で接合されている。【００１１】本発明は以上の構成よりなる回転式健康器具である。【００１２】
【発明の効果】
【００１３】本発明によれば従来の発明にない、以下の効果を得ることができる。【００１４】寝た姿勢もしくは床に座した姿勢で、足を回転台（１）に設けられた帯（２）の下をくぐらせるように回転台（１）に乗せる。その状態で左右の足を交互に踏み出すように回転台（１）を回すことにより、脚部の屈伸運動となる。左右交互に足の屈伸を繰り返すこの動きは歩行と同じ運動をしたのと同じ効果を得ることができる。【００１５】その際基台（４）に接続されている紐（５）を中央に配置された磁性体（３）を頸部にかけた上で、左右の手で握る事により、本器具自体が激しい動きによって動いてしまったり、回転台（１）に乗せた足部が器具から外れる事を防止できる。また、紐（５）を握った腕自体が運動を制御する事になり、その負荷が腕の運動としても機能する。【００１６】また回転台（１）と頸部にまわした紐（５）に取り付けられた磁性体（３）が、磁気健康器具としての機能を発揮し、足部と頸部の血行を促進する状態になるため、運動の効果を一層高める。【００１７】また、器具自体は基本として回転台（１）と基台（４）が軸（６）によってのみ接合する構造なので、非常に薄くコンパクトな構造となる。【００１８】このような構造により、スペースをとらない構造となるため収納や持ち運びが簡単となる。また、寝具の上に置いた状態でも、生活に不都合は生じないほどコンパクトに設計されている。このことはひいては、器具使用者がいつでも簡単に運動の準備をできることになり、運動への意欲を増進し、意欲の減退を防ぐ事になる。【００１９】またシンプルな構造により、製造やメンテナンスも大規模かつ複雑なものを必要としないため、製造コストやメンテナンスコストの削減につながる。器具の保持者自身でメンテナンスすることも可能である。【００２０】さらに、運動者が運動器具に向かうだけでも従来品は立ち上がって乗り、腰掛けたり、準備だけでも労力や筋力を必要とし、身体への負荷自体も無視できるものではなかった。人によっては立ち上がったり腰掛けるといった姿勢をとることすらできない場合もある。【００２１】本発明によれば、器具を使用するにあたっては身体の足部をのせるだけであり、従来品のように器具の上に立ち上がったり、腰掛けたりする必要はない。寝た状態でも使用可能である。また、身体自体にかかる負荷も器具からうける負荷自体は大きくないため、過剰な負荷が身体にかかることもなく、手軽に運動ができる。そのため寝たきりの人や、体の不自由な人や老人でも運動が可能となり、今後の老齢化社会を考えても社会的に有用な運動器具となる。【００２２】構造はシンプルながらも、器具自体にかかる負荷は運動者の足部による重さと回転台（１）と基台（４）の摩擦だけなので、十分な耐久性を保持できる。材料としても金属や特殊な材料を多量に必要としないので、プラスチックや樹脂、木材といった軽量で入手しやすい材料で製造することができるので、コストや耐久性といった面でも従来品にはない利点を有する。
【図面の簡単な説明】
【００２３】
【図１】本発明の一実施形態に係る平面図である。
【図２】本発明の一実施形態に係る側面図である。
【図３】本発明の基台（４）と回転台（１）の状態の一例を示す横断面図である。
【図４】本発明の一実施形態に関わる全体図である。
【発明を実施するための形態】
【００２４】以下、本発明を実施するための最良の形態について説明する。
【００２５】図１は本発明の典型的な実施形態を表す正面図である。また図２は同じように典型的な実施形態を表す側面図である。
【００２６】回転台（１）と基台（４）は中心に軸（６）によって接合されている。回転台（１）の上には磁性体（３）と帯（２）が配置されている。
【００２７】運動器具の使用者は図４のように足部を回転台（１）の上に乗せる。回転台（１）の上には磁性体（３）が配置してあるので、その上にも脚部が乗る。その上で基台（４）より伸びた紐（５）についた磁性体（３）を頸部の下にくるようにかけて、両手で紐（５）の左右をそれぞれ握る。
【００２８】器具の使用者は左右の足を交互に踏み出すように屈伸させる。回転台（１）は軸（６）を中心にして、左右に回転可能なので、結果として足の屈伸に応じて、回転台（１）が時計回り、逆時計回りに交互に合わせて回転する。この動きによって、器具の使用者は立ち上がることなく歩行と同じような足の屈伸運動を行うことができる。
【００２９】その際、運動による動きで器具自体が基台（４）ごと意図せず動いたりずれたりする可能性がある。
しかし基台（４）の縁に設けられた紐（５）を器具の使用者が握ることにより、そのような意図せぬ動きを防止する事になる。また紐（５）を握っている腕自体に制御するための力が負荷としてかかるため、腕の健康器具としても機能する。
【００３０】足部の下には回転台（１）の上の磁性体（３）がしかれ、頸部には紐（５）に取り付けられた磁性体（３）が密着する。これにより、磁性体（３）の効果である、血行の促進が脚部と頸部に及ぶ。
【００３１】回転台（１）が軸（６）を中心にして回転できるのであれば、回転台（１）と基台（４）の接合方法は問わない。
【００３２】図３は実施例の一つとして回転台（１）と基台（４）に溝を設けそこに球体（７）を入れることにより、摩擦係数を減らして回転しやすいようにしたものである。基本は回転台（１）と基台（４）は軸（６）によってのみ接合する事により回転しさえすれば本発明品の効果を十分発揮できるが、このように摩擦力を調整する事も可能である。
【００３３】回転台（１）と基台（４）は図上では円形をしているが、回転台（１）が軸（６）によって回転するのであれば、その目的を達成する範囲でその形状に種々の変更を加えることを妨げるものではない。
【００３４】なお、本発明の技術範囲は上記実施の形態に限定されるものではなく、本発明の趣旨を逸脱しない範囲において種々の変更を加えることが可能である。
【符号の説明】
【００３５】１  回転台
２  帯
３  磁性体
４  基台
５  紐
６  軸
７  球体
【図１】
2013252402.tif 000003
【図２】
2013252402.tif 000004
【図３】
2013252402.tif 000005
【図４】
2013252402.tif 000006